(57)【要約】  競技用義足の、爪先から湾曲部側へ弧状に延在する接地域に装着するソールであって、該ソールは、前記接地域の延在形状に従う形状の底面を有し、該底面は、前記ソールの幅方向に延びる複数の幅方向溝によって区画される、少なくとも１つの幅方向陸部を有し、前記幅方向陸部は、前記ソールの幅方向に延びる波線に沿う形状を呈する波状部を有し、前記波状部は、前記波線において隣接する山及び谷の各々の位置から、前記山の凸側に突出する凸部と、前記谷の凸側に突出する凸部との対を少なくとも一対含むことを特徴とする、競技用義足のソール。
2019203288.tif 000002
【特許請求の範囲】
【請求項１】
少なくとも１の湾曲部を介して、爪先側へ延びる板ばね状の足部を有する競技用義足の、前記爪先から前記湾曲部側へ弧状に延在する接地域に装着するソールであって、
該ソールは、前記接地域の延在形状に従う形状の底面を有し、
該底面は、前記ソールの幅方向に延びる複数の幅方向溝によって区画される、少なくとも１つの幅方向陸部を有し、
前記幅方向陸部は、前記ソールの幅方向に延びる波線に沿う形状を呈する波状部を有し、
前記波状部は、前記波線において隣接する山及び谷の各々の位置から、前記山の凸側に突出する凸部と、前記谷の凸側に突出する凸部との対を少なくとも一対含むことを特徴とする、競技用義足のソール。
【請求項２】
前記凸部対における凸部の先端相互間の、前記ソール幅方向に対する鋭角側の角度が、３０°以上５５°以下である、請求項１に記載の競技用義足のソール。
【請求項３】
前記ソールの幅方向最大長さは、前記凸部対における、凸部の先端相互間の前記ソール幅方向距離の５倍以上２５倍以下である、請求項１又は２に記載の競技用義足のソール。
【請求項４】
前記幅方向陸部は、前記凸部の先端を通る前記ソールの延在方向長さが、前記幅方向陸部の延在方向に直交する長さよりも大きい、請求項１〜３のいずれかに記載の競技用義足のソール。
【請求項５】
前記幅方向陸部は、３対以上１０対以下の前記凸部対を含む、請求項１〜４のいずれかに記載の競技用義足のソール。
【請求項６】
前記幅方向陸部は、前記幅方向溝に面する両側壁がジグザグ状である、請求項１〜５のいずれかに記載の競技用義足のソール。
【発明の詳細な説明】
【技術分野】
【０００１】
この発明は、競技用義足の接地域に接着されるソール、特に、競技用義足の着用者が走り出す際や加速する際に、路面とソールとの間で強い牽引力を発生する、トラクション性能を高めた競技用義足のソールに関する。
【背景技術】
【０００２】
従来、湾曲部を介して爪先側へ延びる板ばね状の足部を有し、接地域が爪先から湾曲部側に弧状に延在する、競技用の義足（以下、競技用義足又は単に義足ともいう）が知られている。このような板ばね状の足部を有する競技用義足には、接地域の底面に、路面と当接するソールが取付けられるのが一般的である。【０００３】
例えば、特許文献１には、湾曲した板ばね状の競技用義足の下面に取り付けられた、ジョギングやランニング等の競技種目に応じたソールが例示されている。即ち、特許文献１には、路面に接地するソールの下面に、スパイクが取り付けられたソールや、各々が六角形状の接地面を有する多数のアウトソール部が設けられたソールが記載されている。
【先行技術文献】
【特許文献】
【０００４】
【特許文献１】特開２０１６−１５０１８９号公報
【発明の概要】
【発明が解決しようとする課題】
【０００５】
しかしながら、特許文献１に例示されているソールでは、義足の着用者の走り出し時や加速時におけるトラクション性能が十分に得られていなかった。即ち、引用文献１に例示されているような、底面に幅方向に区分された凸部が設けられたソールでは、走り出し時や加速時に路面との十分なグリップが得られないため、義足を着用者した競技者が、その走行技能を十分に発揮できないことがあった。【０００６】
そこで、本発明の目的は、競技用義足の着用者が走り出す際や加速する際におけるトラクション性能を高めた競技用義足のソールを提供することにある。
【課題を解決するための手段】
【０００７】
発明者は、前記課題を解決する手段について鋭意究明した。即ち、競技用義足のソールの底面について詳細に検討を行ったところ、該底面に溝を設けて形成する凹凸によるエッジ成分を付与することができるが、走り出す際や加速する際には、多様な向きに溝を配置するよりも、溝の向きをソールの幅方向に統一することによって、ソール幅方向に沿ってエッジ成分が増大する結果、路面に対して大きなグリップ力が得られることを見出した。さらに、凹凸の形状を工夫することによって、義足走行動作に応じた剛性を凸部に付与できることにも想到し、本発明を完成するに至った。【０００８】
本発明の競技用義足のソールは、少なくとも１の湾曲部を介して、爪先側へ延びる板ばね状の足部を有する競技用義足の、前記爪先から前記湾曲部側へ弧状に延在する接地域に装着するソールであって、該ソールは、前記接地域の延在形状に従う形状の底面を有し、該底面は、前記ソールの幅方向に延びる複数の幅方向溝によって区画される、少なくとも１つの幅方向陸部を有し、前記幅方向陸部は、前記ソールの幅方向に延びる波線に沿う形状を呈する波状部を有し、前記波状部は、前記波線において隣接する山及び谷の各々の位置から、前記山の凸側に突出する凸部と、前記谷の凸側に突出する凸部との対を少なくとも一対含むことを特徴とする。
【発明の効果】
【０００９】
本発明により、競技用義足の着用者の走り出し時や加速時におけるトラクション性能を高めた競技用義足のソールを提供することができる。
【図面の簡単な説明】
【００１０】
【図１】本発明の一実施形態に係るソールが装着された競技用義足の側面図である。
【図２】本発明の一実施形態に係るソールの底面のパターンを示す図である。
【図３】図２のパターンの幅方向陸部の１つの形状を示す図である。
【図４】図３の部分拡大図である。
【図５】幅方向陸部のバリエーションを示す図である。
【図６】幅方向陸部のバリエーションを示す図である。
【図７Ａ】競技用義足が着用され、着用者が直進して走る場合における、足部の動作と接地形態を段階的に説明するための図である。
【図７Ｂ】競技用義足が着用され、着用者が直進して走る場合における、足部の動作と接地形態を段階的に説明するための図である。
【図７Ｃ】競技用義足が着用され、着用者が直進して走る場合における、足部の動作と接地形態を段階的に説明するための図である。
【図７Ｄ】競技用義足が着用され、着用者が直進して走る場合における、足部の動作と接地形態を段階的に説明するための図である。
【図８】本発明の他の実施形態に係るソールの底面のパターンを示す図である。
【発明を実施するための形態】
【００１１】
以下、図面を参照しながら本発明の競技用義足のソール（以下、ソールとも称する）を、その実施形態を例示して詳細に説明する。
【００１２】
図１は、本発明の第１実施形態に係るソール５が装着された競技用義足１の側面図である。競技用義足１は、板ばね状の足部２を有し、その先端側の接地域にソール５を装着する。なお、図示は省略しているが、足部２の基端部は、アダプタを介してソケットに接続され、ソケットに着用者の足の断端を収容することによって、着用者が義足を着用することができる。アダプタ及びソケットは、大腿義足、下腿義足等、足の断端位置に応じたものが用いられる。図１は、競技用義足１を着用した着用者の直立状態における足部２及びソール５を示している。
【００１３】
以下、本実施形態では、競技用義足の高さ方向において、足部２がアダプタと接続される側を接続側といい、路面Ｓと接地する側を接地側という。また、競技用義足１の爪先Ｔとは、足部２が接続側から延びて終端する最先の点を指す。
【００１４】
本実施形態において、競技用義足１の足部２は、少なくとも１の湾曲部、図示例では１の湾曲部３を介して、爪先Ｔ側へ板状に延びる形状を有している。図１では、足部２は、接続側から接地側へ順に、直線部２ａ、爪先Ｔ側へ凸の曲線部２ｂ、足部前後方向Ｙの後側へ凸の湾曲部３、接地側に凹の曲線部２ｃ及び接地側に凸となる弧状に爪先Ｔ側に延びる接地部４からなる。
【００１５】
なお、足部２に材質は限定されないが、強度及び軽量化の観点から、炭素繊維強化プラスチック等を用いることが好適である。
【００１６】
接地部４は、接地側に、爪先Ｔから湾曲部３側へ弧状に延在する接地域４ｓを有し、この接地域４ｓにソール５が装着されている。接地域４ｓは、競技用義足１を着用した着用者が直進走行動作を行った際に、路面Ｓと当接する全領域を指し、ソール５が装着された状態では、接地域４ｓは、ソール５を介して路面Ｓと当接する。
【００１７】
ソール５の材質は特に限定されないが、例えばゴム等を用いることができる。
【００１８】
ソール５は、接地域４ｓの延在形状に従う形状を有している。また、ソール５の接地側が、ソール底面５ｓである。図１に示すとおり、ソール底面５ｓは、爪先Ｔ側から湾曲部３側へ、弧Ｘ１及びＸ２が連なる形状を有している。本実施形態では、弧Ｘ１と弧Ｘ２とは、互いに異なる曲率半径を有しているが、同じ曲率半径を有していてもよい。
【００１９】
以下、ソール底面５ｓが爪先Ｔ側から湾曲部３側に延在する方向を、Ｙ方向といい、このＹ方向と直交するソール底面５ｓの幅方向を、Ｗ方向という。
【００２０】
以下、図２、図３及び図４を参照して、本発明の一実施形態に係る競技用義足のソール５の、ソール底面５ｓにについて説明する。図２は、本発明の一実施形態に係るソール底面５ｓのパターンを示している。図示例において、ソール底面５ｓは、Ｗ方向に延びる複数の幅方向溝２０によって区画される少なくとも１つの幅方向陸部１０、図２では３列の幅方向陸部１０を有している。
【００２１】
図３は、上記３列の幅方向陸部１０のうちの１つの形状を示している。図示例のとおり、幅方向陸部１０は、Ｗ方向に延びる波線Ｐ１に沿う形状を呈する波状部６を有している。ここでいう波とは、正弦波や凹凸等、略同じ形状が略同じ周期をもって位相変化する形状を指している。幅方向陸部１０は、かような波状の波線Ｐ１に沿って所定の幅で延びる陸部部分を有していればよく、図示例では、ソール底面５ｓの全幅にわたり、波状を呈する陸部である。即ち、図示例では幅方向陸部１０全体を波状部６としている。
【００２２】
幅方向陸部１０が波状部６を有する形状とすることにより得られる効果は以下のとおりである。即ち、競技用義足１を着用した着用者が、走り出し動作又は加速動作に入ると、底面５ｓの路面Ｓに対する接地部分は湾曲部３側から爪先Ｔ側へと、又は爪先Ｔ側から湾曲部３側へと推移するため、Ｙ方向を横切る向き、換言するとＷ方向に沿う向きのエッジ成分を有することが求められる。そこで、幅方向陸部１０は基本的にＷ方向に延びる形状とすることによって、Ｗ方向のエッジ成分を付与する。さらに、幅方向陸部１０を波状にすることで、Ｗ方向のエッジ成分に併せて、Ｙ方向のエッジ成分をも付与して、総合してより高いエッジ効果を有する陸部形状にすることにより、路面Ｓに対するグリップ力を高めることができる。
【００２３】
ここで、波状部６は、波線Ｐ１において隣接する山Ｍ１及び谷Ｖ１の各々の位置から、山Ｍ１の凸側、図示例では爪先Ｔ側に突出する凸部６ａと、谷Ｖ１の凸側、図示例では湾曲部３側に突出する凸部６ｂとの凸部対６０を少なくとも一対は有することが肝要である。なお、図示例は凸部対を５対含んでいる。
【００２４】
図４は、図３の凸部対６０の１つを拡大した図である。図４では、凸部６ａは、波状部６のＹ方向における端縁が、波状部６の延在方向からＹ方向に折曲する点ｑ１及びｑ２から、Ｙ方向に爪先Ｔ側へ向かうにつれてＷ方向幅が減少する形状である。また、凸部６ｂは、凸部６ａと同様の形状であり、波状部６のＹ方向における端縁が、波状部６の延在方向からＹ方向に折曲する点ｑ１´及びｑ２´から、Ｙ方向に湾曲部３側へ向かうにつれてＷ方向幅が減少する形状である。なお、凸部６ａ及び６ｂは、波状部６の山Ｍ１及び谷Ｖ１の位置から、Ｙ方向の爪先Ｔ側又は湾曲部３側に突出する形状であれば、上記のとおりＷ方向幅が減少する形状のほか、Ｗ方向幅が一定の形状としてもよい。例えば、台形状、台形の先端側の角を丸めた形状、半楕円形状、三角形等の任意の形状とすることができる。
【００２５】
波状部６に凸部対６０を付与することによって、幅方向陸部１０のエッジ成分をさらに増加させ、Ｙ方向及びＷ方向の両方でのエッジ効果を高めることができる。さらに、Ｙ方向の爪先Ｔ側及び湾曲部３側の両方に凸となる部分を有することで、幅方向陸部１０全体として幅方向陸部１０のＹ方向に向かう剛性が高まり、エッジ効果と相まって、競技用義足１のトラクション性能を十分に発揮させることができる。さらに、凸部対６０によって、幅方向陸部１０に、Ｙ方向の両側で、効果的にソール底面５ｓと路面Ｓとの間に存在する水膜を切る形状を付与することができ、高い排水性能を発揮して、滑りを防止することができる。
【００２６】
図４における凸部６ａは、点ｑ１及びｑ２をつなぐ仮想線分の辺を底Ｄ１とし、底Ｄ１に平行な、爪先Ｔ側の辺を底Ｕ１とする、山Ｍ１を通りＹ方向に延びる仮想線分ｂ１に対して線対称な台形状である。なお、凸部６ｂは凸部６ａと同様の形状であり、点ｑ１´及びｑ２´から、Ｙ方向に湾曲部３側へ向かうにつれてＷ方向幅が漸減する形状を有し、点ｑ１´及びｑ２´をつなぐ仮想線分の辺を底Ｄ１´とし、底Ｄ１´に平行な湾曲部３側の辺を底Ｕ１´とする、谷Ｖ１を通りＹ方向に延びる仮想線分ｂ２に対して線対称な台形状である。
【００２７】
上記台形状の凸部６ａ及び６ｂについて、凸部６ａを典型例としてさらに詳述する。凸部６ａは、点ｑ１から台形の脚に沿って爪先Ｔ側に延びる仮想線分Ｌ１と、点ｑ２から台形の脚に沿って爪先Ｔ側に延びる仮想線分Ｌ２とがなす角度γ１が、５°超６０°未満であり、且つ、底Ｕ１のＷ方向における長さｌ１が、０ｍｍ以上７ｍｍ未満とすることが好適である。上記構成とすることによって、凸部６ａ及び６ｂの剛性を高め、さらに、濡れた路面上で、ソール底面５ｓと路面Ｓとの間に存在する水を効果的に排出する、排水性能も発揮させることができる。
【００２８】
なお、凸部６ａ及び６ｂは、図５に示すような半楕円状とすることもできる。図５において、幅方向陸部１０は、Ｗ方向に延びる波状の波線Ｐ１に沿う形状を呈する波状部６を有し、凸部６ｃ及び６ｄがＹ方向の爪先Ｔ側又は湾曲部３側に半楕円状に突出した形状である。
【００２９】
さらに、図４に示すように、凸部対６０における凸部６ａ及び６ｂの先端ｃ１及びｃ２をつなぐ仮想線分Ｌ３が、Ｗ方向に対してなす鋭角側の角度、図示例では、仮想線分Ｌ３とＷ方向に延びる線分Ｌ４とがなす鋭角側の角度θ１は、３０°以上５５°以下であることが好ましい。
ここで、凸部６ａ及び６ｂの先端ｃ１及びｃ２とは、図示例では、台形状の凸部６ａ及び６ｂの底Ｕ１のＷ方向長さｌ１における中心点を指している。なお、凸部６ａ及び６ｂが、図示例の台形状等のＷ方向に沿う辺を有する場合は、辺の中心点を先端というが、図５に示す半楕円形状の場合等、最も突出した点を有する形状の場合は、最突出点を先端という。図５では、凸部６ａの最突出点が点ｃ３であり、凸部６ｂの最突出点が点ｃ４である。
角度θ１を３０°以上とすることによって、幅方向陸部１０の排水性能を十分に発揮することができ、５５°以下とすることによって、凸部６ａ及び６ｂを中心とする幅方向陸部１０の支え合いが実現され、剛性を高めることができる。
【００３０】
また、幅方向陸部１０の延在方向のＷ方向に対する鋭角側の角度、図示例では、波線Ｐ１がＷ方向に延びる線分Ｌ５に対してなす鋭角側の角度θ２は、角度θ１に対して、０．３５以上２．１６以下であることが好ましい。このような数値範囲とすることによって、幅方向陸部１０の剛性と排水性能を両立させることができる。好適には、比θ２／θ１が、０．４５以上０．９以下であり、より好適には、０．６５５である。
【００３１】
また、ソール５の幅方向最大長さｗ１は、凸部対６０における、凸部６ａ及び６ｂの先端ｃ１と先端ｃ２との相互間の、Ｗ方向における距離ｗ２の５倍以上２５倍以下であることが好ましい。ソール幅方向距離ｗ２を幅方向最大長さｗ１の５倍以上とすることによって、ソール底面５ｓに十分な剛性を付与して、トラクション性能を向上させることができる。また、２５倍以下とすることによって、ソール底面５ｓのＷ方向における柔軟性が失われるのを防ぐことができる。
好適には、長さｗ１は、距離ｗ２の８倍以上１０倍以下であり、より好適には、９倍である。
【００３２】
なお、ソール５の幅方向最大長さｗ１は、６ｃｍ以上１５ｃｍ以下とすることが好ましい。好適範囲は、義足の着用者の身長、身幅及び体重等により異なるが、競技用としては一般には８ｃｍ以上１０ｃｍが好適であり、より好適には８ｃｍである。
【００３３】
また、凸部対６０における、凸部６ａ及び６ｂの先端ｃ１と先端ｃ２との相互間のＷ方向における距離ｗ２は、６ｍｍ以上２０ｍｍ以下とすることが好ましい。距離ｗ２を６ｍｍ以上とすることによって、凸部６ａと６ｂとの間の間隔を確保し、ソール底面５ｓのＷ方向における柔軟性が失われるのを防ぐことができる。さらに、２０ｍｍ以下とすることによって、ソール底面５ｓに十分な剛性を付与して、トラクション性能を向上させることができる。
距離ｗ２は、好適には８ｍｍ以上１０ｍｍ以下であり、より好適には９ｍｍである。
【００３４】
幅方向陸部１０は、凸部６ａ又は６ｂの先端ｃ１又はｃ２を通るソールの延在方向Ｙに沿う長さｙ１が、幅方向陸部１０の延在方向に直交する長さｖ１よりも大きいことが好ましい。
ここで、幅方向陸部１０の延在方向に直交する長さｖ１とは、波線Ｐ１の山Ｍ１と谷Ｖ１との間における、凸部６ａ及び６ｂを除く、幅方向陸部１０の延在方向に直交する長さを指す。なお、長さｖ１は、凸部６ａ及び６ｂを除く幅方向陸部１０の幅が一様の場合は、任意の位置における長さでよいが、一様でなく変化する場合は、最大長さと最小長さの平均値を指す。
幅方向陸部１０の長さｙ１を長さｖ１よりも大きくすることによって、幅方向陸部１０に十分な剛性を与えることができる。
【００３５】
幅方向陸部１０の延在方向に直交する長さｖ１は、ソールの延在方向Ｙに沿う長さｙ１に対して、０．１２５倍以上０．８１２５倍以下であることが好ましい。このような数値範囲とすることによって、幅方向陸部１０に十分な剛性を与えることができる。
より好適には、０．２倍以上０．６倍以下である。
【００３６】
なお、幅方向陸部１０の長さｖ１は、１．０ｍｍ以上６．５ｍｍ以下とすることが好ましく、より好適には、１．５ｍｍ以上３．０ｍｍ以下である。
【００３７】
幅方向陸部１０の長さｙ１については、３．０ｍｍ以上８．０ｍｍ以下とすることが好ましく、より好適には、５．０ｍｍ以上７．５ｍｍ以下である。
【００３８】
また、幅方向陸部１０は、３対以上１０対以下の凸部対６０を含むことが好ましい。３対以上を含むことによって、幅方向陸部１０に十分な剛性を付与して、トラクション性能を向上させることができる。また、１０対以下とすることによって、ソール底面５ｓのＷ方向における柔軟性が失われるのを防ぐことができる。
【００３９】
図６は、幅方向陸部のバリエーションを示す図である。図６に示す幅方向陸部１０では、幅方向溝２０に面する両側壁がジグザグ状である。即ち、本実施形態では、幅方向陸部１０の幅方向溝２０に面する両側壁が、Ｗ方向に対して傾斜した直線が連続した形状を有している。凸部６ｅ及び６ｆについても、Ｗ方向に対して傾斜した直線を組み合わせて鋭角をなす形状を有している。このような構成とすることによって、上記トラクション性能を発揮させながら、競技用義足１が濡れた路面等にて用いられる際に、滑りを防止することができる。即ち、幅方向陸部１０に、Ｙ方向の両側で、効果的にソール底面５ｓと路面Ｓとの間に存在する水膜を切る形状を付与することができ、高い排水性能を発揮して、滑るのを防止することができる。
【００４０】
次に、図７Ａ、７Ｂ、７Ｃ、７Ｄ及び図２を参照して、幅方向陸部１０の好適な配置及び数について説明する。
【００４１】
図７Ａ、図７Ｂ、図７Ｃ及び図７Ｄは、競技用義足１を着用した着用者が直進走行を行った場合における、足部２の動作とソール底面５ｓとの接地形態を段階的に説明するための図である。各図面の上部は、足部２及びソール５の側面図であり、各図面の下部は、競技用義足１を着用した着用者が直進走行動作を行った際の、ソール底面５ｓの接地形態の変遷を示している。
【００４２】
即ち、図７Ａは、着用者が持ち上げた競技用義足１を路面Ｓに降ろし、全体重が競技用義足１に負荷された状態を示している。図面の下部に示すとおり、義足１を路面Ｓに降ろした当初は、ソール底面５ｓの接地域は該底面の中央部付近にあり、ソール底面５ｓの湾曲部３側端部及び爪先Ｔから、Ｙ方向において間隔を空けた領域である。
【００４３】
図７Ｂは、図７Ａの状態から、着用者が全体重を競技用義足１に負荷したままで、前に向かって踏み込んだ状態を示している。健常者の走行の場合、最初に接地する靴裏の踵側から爪先側に向けて順に接地していく踏み込み形態が一般的であるが、競技用義足１は、最初に接地したところよりも湾曲部３側に接地領域が移動している。
【００４４】
図７Ｃは、着用者が、競技用義足１を着用した側と反対の足を前方に振り出し、競技用義足１の蹴り出し動作を開始した状態を示している。この蹴り出し動作に入ると、競技用義足１は、ソール底面５ｓの、図７Ａ及び図７Ｂで示した領域よりも爪先Ｔ側の領域で接地している。
【００４５】
図７Ｄは、着用者が競技用義足１を蹴り出す最終段階の、路面Ｓから離れる直前の状態を示している。ソール底面５ｓの爪先Ｔから蹴り出すために、図７Ｃよりもさらに爪先Ｔ側の領域で接地している。
【００４６】
上記図７Ａ、図７Ｂ、図７Ｃ及び図７Ｄに示す接地形態を踏まえ、発明者は、競技用義足１のトラクション性能をより発揮しやすくするには、上述の幅方向陸部１０を、図７Ｂに示す、最初に接地したところよりも湾曲部３側の接地領域に配置することが効果的であることに想到した。即ち、図７Ｂに示す接地領域は、着用者が最初に着地した後に、全体重が競技用義足１に負荷された状態で踏み込み動作を行っている領域である。このような領域に幅方向陸部１０を配置することによって、この領域に高いエッジ機能を付与し、路面Ｓに対するグリップ力及び剛性を確保して、高いトラクション性能を発揮させることができる。
【００４７】
上述の図２では、図７Ｂに示す接地領域に、幅方向陸部１０を３列配置している。この構成によれば、ソール底面５ｓのトラクション性能をより高めることができる。
【００４８】
なお、ソール底面５ｓにおいて、幅方向陸部１０以外の構成は任意であり、他の陸部等を設けることもできる。図８に示すパターンでは、図２に示すパターンにおいて、幅方向陸部１０の３列を残し、該幅方向陸部１０の列から爪先Ｔ側に向かって、幅方向陸部１１、１０、１２及びサイプ１３を順に、それぞれ配置してなる。
【００４９】
幅方向陸部１１は、幅方向陸部１０よりも陸部幅が小さい点を除いて、幅方向陸部１０と同様の構成を有している。幅方向陸部１１が配置された領域は、上記の図７Ａに示す接地領域に相当する。即ち、着用者が持ち上げた競技用義足１を路面Ｓに降ろし、全体重が競技用義足１に負荷された状態である。ここでは、着用者が競技用義足１に全体重を負荷しても体全体のバランスが保たれるように、該領域が路面Ｓと十分にグリップすることが肝要である。このような領域に幅方向陸部１０よりも陸部幅の小さい幅方向陸部１１を配置することによって、Ｙ方向に沿って効果的に排水機能を発揮させ、路面Ｓとのグリップ力を十分に確保し、義足が滑るのを抑制すること、即ち防滑性能を高めることができる。
【００５０】
幅方向陸部１２は、Ｗ方向に略波状に延び、且つ、陸部幅が広狭の繰り返しである、幅方向延在部１２ａと、爪先Ｔ側に凸となる向きに屈曲する屈曲部から、幅方向延在部１２ａの延在する向きに凸となるように延びる爪先側突出部１２ｂと、湾曲部３側の凸となる向きに屈曲する屈曲部から、幅方向延在部１２ａの延在する向きに凸となるように延びる湾曲部側突出部１２ｃとを含む形状である。
【００５１】
この幅方向陸部１２が配置された領域は、上記図４Ｃに示した、競技用義足１の蹴り出し動作を開始した際に接地する領域である。陸部幅が変化する形状とすることによって、陸部剛性を高めながら、排水性能を向上させることができる。換言すると、相対的に陸部幅の大きい部分と小さい部分とを併存させた形状とすることによって、陸部幅を大きくしながら、陸部幅を大きくすることによる滑りやすさを回避することができる。
【００５２】
また、本実施形態のソール底面５ｓは、爪先Ｔ側の端縁から湾曲部３側に向かう領域に、Ｗ方向に対して傾斜する向きに直線状に延在する、複数のサイプ１３を備えることが好ましい。サイプ１３が配置された領域は、上記図７Ｄに示したように、着用者が、競技用義足１を着用した側と反対の足を前方に振り出し、競技用義足１の蹴り出し動作を行うための領域である。該領域は、爪先Ｔに向けて順に接地し、着用者がソール底面５ｓで路面Ｓを押して滑らせるように接地していくため、特に摩耗が進展しやすい領域である。よって、この領域では、耐摩耗性能を高めるとともに、接地時の滑りにくさも維持することが肝要である。
【００５３】
特に、サイプ１３が形成された爪先Ｔ側のソール底面５ｓの端縁から一定の領域は、図１における、爪先Ｔから一定の曲率半径で連続する弧Ｘ１に対応する領域であり、上記の図７Ｄに示したように、競技用義足１を着用した着用者が、蹴り出し動作を行う際に、最後に接地して、より激しい摩耗が発生する傾向があった。よって、この領域では、特に高い耐摩耗性能を備える必要がある。そこで、他の領域に形成された溝よりも幅の小さいサイプ１３を形成し、剛性を損なうことなく、エッジ成分を配分している。よって、激しい摩耗からソール底面５ｓを保護し、足部２自体の使用寿命を長期化することができる。
【００５４】
なお、ソール底面５ｓのパターンにおいて、幅方向溝２０を構成する溝壁及び溝底には、フッ素が塗布されていることが好ましい。幅方向溝２０の溝壁及び溝底にフッ素が塗布されていることによって、ソール底面５ｓにおける排水性能を高めることができる。
【符号の説明】
【００５５】
１：競技用義足、  ２：足部、  ２ａ：直線部、  ２ｂ、２ｃ：曲線部、  ３：湾曲部、  ４：接地部、  ４ｓ：接地域、  ５：ソール、  ５ｓ：ソール底面、  ６：波状部、  ６ａ、６ｂ、６ｃ、６ｄ、６ｅ、６ｆ：凸部、  ６０：凸部対、  ｃ１、ｃ２、ｃ３、ｃ４：先端、  １０、１１、１２：幅方向陸部、  １３：サイプ、  １２ａ：幅方向延在部、  １２ｂ：爪先側突出部、  １２ｃ：湾曲部側突出部、  ２０：幅方向溝、  ５１ｓ：ソール底面、  １０１：幅方向陸部、  ２０１：幅方向溝、  Ｐ１：波線、  Ｍ１：山、  Ｖ１：谷、  Ｄ１、Ｕ１、Ｄ１´、Ｕ１´：底、  ｑ１、ｑ２、ｑ１´、ｑ２´：点、  Ｓ：路面、  Ｙ：ソール底面５ｓが爪先Ｔ側から湾曲部３側に延在する方向、  Ｗ：Ｙ方向と直交するソール底面５ｓの幅方向
【図１】
2019203288.tif 000003
【図２】
2019203288.tif 000004
【図３】
2019203288.tif 000005
【図４】
2019203288.tif 000006
【図５】
2019203288.tif 000007
【図６】
2019203288.tif 000008
【図７Ａ】
2019203288.tif 000009
【図７Ｂ】
2019203288.tif 000010
【図７Ｃ】
2019203288.tif 000011
【図７Ｄ】
2019203288.tif 000012
【図８】
2019203288.tif 000013
【国際調査報告】
2019203288.tif 000014
2019203288.tif 000015
2019203288.tif 000016
2019203288.tif 000017